【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  送り込まれてくるシートを積載する第１のシート積載手段と、
前記第１のシート積載手段の前記シートの搬送方向の下流端側に配設されて前記第１のシート積載手段から送られてくる前記シートを積載する第２のシート積載手段と、
前記第１のシート積載手段の前記シートの搬送方向の上流側に配設されて、前記シートに処理を施すシート処理手段と、
前記第１のシート積載手段に送り込まれてくる前記シートを受け止める受け止め位置と前記受け止め位置から退避した待機位置とをとる移送手段と、
前記移送手段を、前記シートに前記処理が施されるとき、前記待機位置に移動制御し、且つ前記シートに前記処理が施されないとき、前記受け止め位置に移動制御するシート積載基準位置選択制御手段と、を備えた、
ことを特徴とするシート処理装置。
【請求項２】  送り込まれてくるシートを積載する第１のシート積載手段と、
前記第１のシート積載手段の前記シートの搬送方向の下流端側に配設されて前記第１のシート積載手段から送られてくる前記シートを積載する第２のシート積載手段と、
前記第１のシート積載手段の前記シートの搬送方向の上流端側に配設されて、前記シートを受け止めて前記シートの位置規制をする位置規制手段と、
前記上流端側に配設されて、前記位置規制手段によって位置規制された前記シートに処理を施すシート処理手段と、
前記第１のシート積載手段に送り込まれてくる前記シートを受け止める受け止め位置と、前記シートを受け止めない待機位置とをとる移送手段と、
前記移送手段を、前記シートに前記処理が施されるとき、前記待機位置に移動制御し、且つ前記シートに前記処理が施されないとき、前記受け止め位置に移動制御するシート積載基準位置選択制御手段と、を備え、
前記受け止め位置が前記位置規制手段よりも前記シートの搬送方向の下流側に設定されていることを特徴とするシート処理装置。
【請求項３】  前記移送手段が、受け止め位置から待機位置に移動する間に、前記第１のシート積載手段上に積載された前記シートを、前記第２のシート積載手段に送ることが可能であることを特徴とする請求項１又は２に記載のシート処理装置。
【請求項４】  前記第１のシート積載手段の前記シート搬送方向の下流端側が、上流端側よりも高く設定されていることを特徴とする請求項１乃至３のいずれか１項に記載のシート処理装置。
【請求項５】  前記第１のシート積載手段に積載された前記シートを前記シート搬送方向の上流端側へ逆送させて前記位置規制手段に当接させるシート逆送手段を備えたことを特徴とする請求項２乃至４のいずか１項に記載のシート処理装置。
【請求項６】  前記処理が施された処理済みシートを前記位置規制手段から前記第２のシート積載手段の方へ移動させるシート移動手段を備え、
前記シート移動手段によって、前記位置規制手段から前記第１のシート積載手段に移動させられた前記処理済みシートを、前記シート積載基準位置選択制御手段が、前記移送手段を作動させて前記第１のシート積載手段上から前記第２のシート積載手段に移送させることを特徴とする請求項２乃至５のいずれか１項に記載のシート処理装置。
【請求項７】  前記第１のシート積載手段に積載された前記シートを前記位置規制手段に送り、前記シートに前記処理が施された後に、前記シートを前記第２のシート積載手段の方へ移動させるシート往復移動手段を備え、
前記移送手段が、送り込まれてくる前記シートを前記受け止め位置で受け止め、前記シートが前記シート往復移動手段によって前記位置規制手段に送られるとき追従移動し、且つ前記処理が施された処理済みシートが前記シート往復移動手段によって前記第１のシート積載手段に移動させられた後に、前記シート積載基準位置選択制御手段の制御によって、前記第１のシート積載手段上の前記処理済みシートを前記第２のシート積載手段に移送することを特徴とする請求項２乃至４のいずれか１項に記載のシート処理装置。
【請求項８】  前記移送手段が、循環する巻き掛け体と、前記巻き掛け体に外方に向けて突設されて前記シートの後端に当接する突片とを有し、前記突片が前記巻き掛け体の循環によって前記受け止め位置と前記待機位置とをとることを特徴とする請求項１，２，３，６，７のいずれか1項に記載のシート処理装置。
【請求項９】  シートに画像を形成する画像形成手段と、
前記画像形成手段によって画像が形成されたシートを排出するシート排出手段と、
前記シート排出手段によって排出されたシートに処理を施す請求項１乃至８のいずれか１項に記載のシート処理装置と、
を備えたことを特徴とする画像形成装置。
【手続補正２】
【補正対象書類名】明細書
【補正対象項目名】０００９
【補正方法】変更
【補正の内容】
【０００９】
【課題を解決するための手段】
本発明のシート処理装置は、送り込まれてくるシートを積載する第１のシート積載手段と、前記第１のシート積載手段の前記シートの搬送方向の下流端側に配設されて前記第１のシート積載手段から送られてくる前記シートを積載する第２のシート積載手段と、前記第１のシート積載手段の前記シートの搬送方向の上流側に配設されて、前記シートに処理を施すシート処理手段と、前記第１のシート積載手段に送り込まれてくる前記シートを受け止める受け止め位置と前記受け止め位置から退避した待機位置とをとる移送手段と、前記移送手段を、前記シートに前記処理が施されるとき、前記待機位置に移動制御し、且つ前記シートに前記処理が施されないとき、前記受け止め位置に移動制御するシート積載基準位置選択制御手段と、を備えている。
本発明のシート処理装置は、送り込まれてくるシートを積載する第１のシート積載手段と、前記第１のシート積載手段の前記シートの搬送方向の下流端側に配設されて前記第１のシート積載手段から送られてくる前記シートを積載する第２のシート積載手段と、前記第１のシート積載手段の前記シートの搬送方向の上流端側に配設されて、前記シートを受け止めて前記シートの位置規制をする位置規制手段と、前記上流端側に配設されて、前記位置規制手段によって位置規制された前記シートに処理を施すシート処理手段と、前記第１のシート積載手段に送り込まれてくる前記シートを受け止める受け止め位置と、前記シートを受け止めない待機位置とをとる移送手段と、前記移送手段を、前記シートに前記処理が施されるとき、前記待機位置に移動制御し、且つ前記シートに前記処理が施されないとき、前記受け止め位置に移動制御するシート積載基準位置選択制御手段と、を備え、前記受け止め位置が前記位置規制手段よりも前記シートの搬送方向の下流側に設定されている。
【手続補正３】
【補正対象書類名】明細書
【補正対象項目名】００１１
【補正方法】変更
【補正の内容】
【００１１】
本発明のシート処理装置の前記第１のシート積載手段の前記シート搬送方向の下流端側は、上流端側よりも高く設定されている。
【手続補正４】
【補正対象書類名】明細書
【補正対象項目名】００２６
【補正方法】変更
【補正の内容】
【００２６】
本発明のシート処理装置の第１のシート積載手段のシート搬送方向の下流端側が、上流端側よりも高く設定されていると、第１のシート積載手段に送り込まれたシートは、自重によって第１のシート積載手段上を、あるいは第１のシート積載手段上に既に積載されているシート上を滑って、移送手段、あるいは位置規制手段に当接し、シート同士の端部を揃えられる。
【手続補正５】
【補正対象書類名】明細書
【補正対象項目名】００２７
【補正方法】変更
【補正の内容】
【００２７】
本発明のシート処理装置が、第１のシート積載手段に積載されたシートをシート搬送方向の上流端側へ逆送させて位置規制手段に当接させるシート逆送手段を備えていると、第１のシート積載手段に送り込まれたシートは、第１のシート積載手段上を、あるいは第１のシート積載手段上に既に積載されているシート上を強制的に送られて、位置規制手段に当接し、シート同士の端部を揃えられる。
【手続補正６】
【補正対象書類名】明細書
【補正対象項目名】００４９
【補正方法】変更
【補正の内容】
【００４９】
また、第１プーリ軸１０ａには、搬送下ローラ１８が同軸的に設けられており、搬送下ローラ１８の上方には、搬送下ローラ１８側に押圧する位置（図１中、１点鎖線）と搬送下ローラ１８から離れた離間位置（図１中、実線）との間で回動可能な搬送上ローラ１９が配設されている。
【手続補正７】
【補正対象書類名】明細書
【補正対象項目名】００５０
【補正方法】変更
【補正の内容】
【００５０】
ストッパ２１は、処理トレイ８に排出ローラ対６によって排出されて自重で落下し、さらにパドル１７に回転によって移動するシートの端部を受け止める位置に設けられている。このストッパ２１は、第１プーリ軸１０ａにその一端が軸承され、常時、シート端部を規制する位置に図示しないばねなどによって保持されている。
【手続補正８】
【補正対象書類名】明細書
【補正対象項目名】００５９
【補正方法】変更
【補正の内容】
【００５９】
シート束の端部検出センサ５４は、シート束の先端を検出して、束搬送上ローラ５１を束搬送下ローラ５２に押圧させるとともに、シート束の搬送方向の折り位置を設定制御するのに使用されるようになっている。
【手続補正９】
【補正対象書類名】明細書
【補正対象項目名】００９２
【補正方法】変更
【補正の内容】
【００９２】
従って、シートの幅に応じて、ステイプラスライドモータ４２を駆動して、針打ち込みヘッドユニット３１、アンビルユニット３２を所定の位置に移動するようにコントロールすると、シートの幅に応じて、任意の位置に針を自由に打ち込むことができる。
【手続補正１０】
【補正対象書類名】明細書
【補正対象項目名】０１３２
【補正方法】変更
【補正の内容】
【０１３２】
このギア１４２は、ギア１４１に噛合し、軸１１１を回転するようになっている。軸１１１は、突き板５５（図７、図８を参照）を移動する作動アーム１１５を作動するカム板１１４を駆動するようになっている。
【手続補正１１】
【補正対象書類名】明細書
【補正対象項目名】０１３３
【補正方法】変更
【補正の内容】
【０１３３】
なお、このカム板１１４の位置は、軸１１１に固設された不図示のフラグ突起をセンサで検出することによって検知するようになっている。
【手続補正１２】
【補正対象書類名】明細書
【補正対象項目名】０１５２
【補正方法】変更
【補正の内容】
【０１５２】
制御ブロック１４９は、シート搬送及びこのシートを収積した状態でのシート束搬送に関連する情報を、複写機の本体１からシートがフィニッシャ２に搬入されたことを搬送ガイド対３上で検出するシート検出センサ４と、処理トレイ８上にシートの有無を検出する処理トレイシート検出センサ１６０と、処理トレイ８から搬送されてくるシートの搬送方向中央の部分へのステイプル針を打ち込む位置とこのステイプル針を打ち込んだ位置と同じ位置でシートを折り曲げる位置を割り出す、シート束の搬送方向先端を検出する端部検出センサ５４と、処理トレイ８上のシート束を昇降トレイ９０側に移送する移送ベルト１２に設けられている押し出し爪１３のホームポジション位置を検出する押し出し爪検出センサ７７と、折りユニット５０の入力にある束搬送上ローラ５１が下ローラ５２から離間した位置のホームポジション位置を検出する束搬送上ローラＨＰ（ホームポジション）センサ１６１とからの入力信号によって得ている。
【手続補正１３】
【補正対象書類名】明細書
【補正対象項目名】０１５５
【補正方法】変更
【補正の内容】
【０１５５】
制御ブロック１４９は、パドル１７の制御に関連する情報を、パドル１７の回転位置を検出するパドルＨＰセンサ１６３と、搬送上ローラ１９が搬送下ローラが離間した位置を検出する搬送上ローラＨＰセンサ１６４とからの入力信号によって得ている。制御ブロック１４９は、これらの入力信号に基づいて、パドルモータ１６５を介して、パドル１７の動作を制御するようになっている。
【手続補正１４】
【補正対象書類名】明細書
【補正対象項目名】０１６１
【補正方法】変更
【補正の内容】
【０１６１】
［（１）ノンステイプルモード］
ユーザがノンステイプルモードを選択すると、制御ブロック１４９（図１４参照）は、先ず、ステッピングモータ７０（図２参照）を駆動制御して、ホームポジション位置にある押し出し爪１３を処理トレイ８上でのシート集積基準とするプレホームポジション（図２中、ＰｒＨＰ位置）に位置させる。これと同時に、制御ブロック１４９は、搬送モータ１６２（図１、図１４参照）を駆動制御して、搬送ローラ５、排出ローラ対６を回転させ、複写機９００の本体１のシート排出ローラ１ａ，１ｂからシートが排出されるのを待つ。
【手続補正１５】
【補正対象書類名】明細書
【補正対象項目名】０２０４
【補正方法】変更
【補正の内容】
【０２０４】
本発明のシート処理装置であるフィニッシャ２の移送手段である押し出し爪１３及び移送ベルト１２は、受け止め位置から待機位置に移動する間に、第１のシート積載手段である処理トレイ８上に積載されたシートを、第２のシート積載手段である昇降トレイ９０に送ることができるようになっている。
【手続補正１６】
【補正対象書類名】明細書
【補正対象項目名】０２０５
【補正方法】変更
【補正の内容】
【０２０５】
本発明のシート処理装置であるフィニッシャ２の第１のシート積載手段である処理トレイ８のシート搬送方向の下流端側（図１において左側）は、上流端側（図１において右側）よりも高く設定されている。
【手続補正１７】
【補正対象書類名】図面
【補正対象項目名】図１
【補正方法】変更
【補正の内容】
【図１】
2001072310.tif 000001
【手続補正１８】
【補正対象書類名】図面
【補正対象項目名】図４
【補正方法】変更
【補正の内容】
【図４】
2001072310.tif 000002
【手続補正１９】
【補正対象書類名】図面
【補正対象項目名】図１４
【補正方法】変更
【補正の内容】
【図１４】
2001072310.tif 000003
【手続補正２０】
【補正対象書類名】図面
【補正対象項目名】図１８
【補正方法】変更
【補正の内容】
【図１８】
2001072310.tif 000004